(57)【特許請求の範囲】
【請求項１】
撮影レンズにより結像される被写体像を撮像する撮像素子と、
前記撮像素子により撮像された被写体像を画像として表示し得る画像表示部と、
前記画像表示部の表示側に配置され、制御信号に応じて有効表示領域において全体的にのみ又は部分領域毎に光散乱状態と透明状態とに切り替え可能な調光部と、
接眼部と、
前記撮影レンズを通過した光による被写体像を前記調光部上に結像させる第１の光学系と、
前記画像表示部の表示画像のうち前記調光部における透明状態となっている領域に対応する画像、及び、前記調光部上に結像された前記被写体像のうち前記調光部における光散乱状態となっている領域上に結像された像を、前記接眼部から観察可能となるように導く第２の光学系と、
前記撮影レンズを通過した光が前記撮像素子へ向かう第１の状態と前記撮影レンズを通過した光が前記第１の光学系へ向かう第２の状態とを切り替える第１の切り替え手段と、
を備えたことを特徴とする撮像装置。
【請求項２】
被写体像を前記撮像素子に結像させる結像光学系と、
前記結像光学系を通過した光が前記撮像素子に向かう第３の状態と、前記結像光学系を通過した光が前記撮像素子に向かわず、かつ、前記第１の状態であることを条件として前記撮影レンズを通過した光が前記撮像素子に向かう第４の状態と、を切り替える第２の切り替え手段と、
を備え、
前記調光部は、前記制御信号に応じて、有効表示領域において部分領域毎に光散乱状態と透明状態とに切り替え可能であることを特徴とする請求項１記載の撮像装置。
【請求項３】
前記第２の切り替え手段は、前記撮影レンズを通過した光が前記撮像素子へ向かう光路に進出して、前記結像光学系を通過した光を前記撮像素子へ向けて反射させる第３の位置と、前記光路から退避して前記結像光学系を通過した光を前記撮像素子へ向かわせない第４の位置とに移動可能である第２の可動ミラーを、含むことを特徴とする請求項２記載の撮像装置。
【請求項４】
前記調光部は、前記制御信号に応じて、有効表示領域の中央領域及び周辺領域のそれぞれ毎に光散乱状態と透明状態とに切り替え可能であることを特徴とする請求項２又は３記載の撮像装置。
【請求項５】
前記第１の光学系が倍率可変レンズを含むことを特徴とする請求項２乃至４のいずれかに記載の撮像装置。
【請求項６】
前記調光部の有効表示領域が全体的に透明状態にされかつ前記第１の切り替え手段が前記第１の状態にする第１の動作モードと、前記調光部の有効表示領域が全体的に光散乱状態にされかつ前記第１の切り替え手段が前記第２の状態にする第２の動作モードの、いずれかの動作モードを選択する選択手段を備えたことを特徴とする請求項１記載の撮像装置。
【請求項７】
前記調光部は、前記制御信号に応じて、有効表示領域において部分領域毎に光散乱状態と透明状態とに切り替え可能であり、
前記調光部の有効表示領域が全体的に透明状態にされかつ前記第１の切り替え手段が前記第１の状態にする第１の動作モードと、前記調光部の有効表示領域が全体的に光散乱状態にされかつ前記第１の切り替え手段が前記第２の状態にする第２の動作モードと、前記調光部の有効表示領域の一部の領域が透明状態にされる一方で前記調光部の有効表示領域の他の領域が光散乱状態にされかつ前記第１の切り替え手段が前記第２の状態にする第３の動作モードの、いずれかの動作モードを選択する選択手段を備えたことを特徴とする請求項１記載の撮像装置。
【請求項８】
前記調光部の有効表示領域が全体的に透明状態にされ、前記第１の切り替え手段が前記第１の状態にし、かつ前記第２の切り替え手段が前記第４の状態にする第１の動作モードと、前記調光部の有効表示領域が全体的に光散乱状態にされ、前記第１の切り替え手段が前記第２の状態にする第２の動作モードと、前記調光部の有効表示領域の一部の領域が透明状態にされる一方で前記調光部の有効表示領域の他の領域が光散乱状態にされ、前記第１の切り替え手段が前記第２の状態にし、かつ前記第２の切り替え手段が前記第３状態にする第３の動作モードの、いずれかの動作モードを選択する選択手段を備えたことを特徴とする請求項２乃至５のいずれかに記載の撮像装置。
【請求項９】
前記調光部の有効表示領域が全体的に透明状態にされ、前記第１の切り替え手段が前記第１の状態にし、かつ前記第２の切り替え手段が前記第４の状態にする第１の動作モードと、前記調光部の有効表示領域が全体的に光散乱状態にされ、前記第１の切り替え手段が前記第２の状態にする第２の動作モードと、前記調光部の有効表示領域の一部の領域が透明状態にされる一方で前記調光部の有効表示領域の他の領域が光散乱状態にされ、前記第１の切り替え手段が前記第２の状態にし、かつ前記第２の切り替え手段が前記第３状態にする第３の動作モードと、前記調光部の有効表示領域の一部の領域が透明状態にされる一方で前記調光部の有効表示領域の他の領域が光散乱状態にされ、前記第１の切り替え手段が前記第２の状態にし、かつ前記第２の切り替え手段が前記第４の状態にする第４の動作モードの、いずれかの動作モードを選択する選択手段を備えたことを特徴とする請求項２乃至５のいずれかに記載の撮像装置。
【請求項１０】
前記第１の切り替え手段は、前記撮影レンズを通過した光を前記第１の光学系へ向けて反射させる第１の位置と前記撮影レンズを通過した光を反射させずに前記撮像素子へ向かわせる第２の位置とに移動可能である第１の可動ミラーを、含むことを特徴とする請求項１乃至９のいずれかに記載の撮像装置。
【請求項１１】
前記調光部は高分子分散液晶層を含むことを特徴とする請求項１乃至１０のいずれかに記載の撮像装置。
【発明の詳細な説明】
【技術分野】
【０００１】
本発明は、被写体像を撮像する撮像素子を備えた撮像装置に関するものである。
【背景技術】
【０００２】
下記特許文献１には、被写体像を撮像する撮像素子を備えたカメラにおいて、光学像の被写体像を接眼部から観察する光学ファインダ（ＯＶＦ）と、前記撮像素子により撮像された被写体像を画像表示する電子ビューファインダ（ＥＶＦ）とを備えたカメラが、開示されている。この従来のカメラでは、電子ビューファインダは、カメラ本体の背面に配置された液晶表示パネルで構成されている。
【０００３】
この従来のカメラでは、被写体像をより鮮明に見ながら撮影することを欲する場合などには、光学ファインダで光学像の被写体像を観察し、ピントや露出等を確認しながら撮影することを欲する場合などには、電子ビューファインダで被写体像を観察することができ、撮影状況等に応じて、２つのファインダを使い分けることができる。
【先行技術文献】
【特許文献】
【０００４】
【特許文献１】特開２００３−２５００６９号公報
【発明の概要】
【発明が解決しようとする課題】
【０００５】
しかしながら、前記特許文献１に開示された従来のカメラでは、撮影者は、光学像の被写体像を観察する場合は接眼部を覗く一方で、撮像され画像表示された被写体像を観察する場合にはカメラ本体の背面の液晶表示パネルを見なければならない。このため、両ファインダ間で、撮影者は姿勢を変えなければならず、不便であった。
【０００６】
本発明は、このような事情に鑑みてなされたもので、撮影者が姿勢を変えることなく、光学像の被写体像の観察と、撮像され画像表示された被写体像の観察とを、切り替えて行うことができる撮像装置を提供することを目的とする。
【課題を解決するための手段】
【０００７】
前記課題を解決するための手段として、以下の各態様を提示する。第１の態様による撮像装置は、撮影レンズにより結像される被写体像を撮像する撮像素子と、前記撮像素子により撮像された被写体像を画像として表示し得る画像表示部と、前記画像表示部の表示側に配置され、制御信号に応じて有効表示領域において全体的にのみ又は部分領域毎に光散乱状態と透明状態とに切り替え可能な調光部と、接眼部と、前記撮影レンズを通過した光による被写体像を前記調光部上に結像させる第１の光学系と、前記画像表示部の表示画像のうち前記調光部における透明状態となっている領域に対応する画像、及び、前記調光部上に結像された前記被写体像のうち前記調光部における光散乱状態となっている領域上に結像された像を、前記接眼部から観察可能となるように導く第２の光学系と、前記撮影レンズを通過した光が前記撮像素子へ向かう第１の状態と前記撮影レンズを通過した光が前記第１の光学系へ向かう第２の状態とを切り替える第１の切り替え手段と、を備えたものである。
【０００８】
第２の態様による撮像装置は、前記第１の態様において、被写体像を前記撮像素子に結像させる結像光学系と、前記結像光学系を通過した光が前記撮像素子に向かう第３の状態と、前記結像光学系を通過した光が前記撮像素子に向かわず、かつ、前記第１の状態であることを条件として前記撮影レンズを通過した光が前記撮像素子に向かう第４の状態と、を切り替える第２の切り替え手段と、を備え、前記調光部は、前記制御信号に応じて、有効表示領域において部分領域毎に光散乱状態と透明状態とに切り替え可能であるものである。
【０００９】
第３の態様による撮像装置は、前記第２の態様において、前記第２の切り替え手段は、前記撮影レンズを通過した光が前記撮像素子へ向かう光路に進出して、前記結像光学系を通過した光を前記撮像素子へ向けて反射させる第３の位置と、前記光路から退避して前記結像光学系を通過した光を前記撮像素子へ向かわせない第４の位置とに移動可能である第２の可動ミラーを、含むものである。
【００１０】
第４の態様による撮像装置は、前記第２又は第３の態様において、前記調光部は、前記制御信号に応じて、有効表示領域の中央領域及び周辺領域のそれぞれ毎に光散乱状態と透明状態とに切り替え可能であるものである。
【００１１】
第５の態様による撮像装置は、前記第２乃至第４のいずれかの態様において、前記第１の光学系が倍率可変レンズを含むものである。
【００１２】
第６の態様による撮像装置は、前記第１の態様において、前記調光部の有効表示領域が全体的に透明状態にされかつ前記第１の切り替え手段が前記第１の状態にする第１の動作モードと、前記調光部の有効表示領域が全体的に光散乱状態にされかつ前記第１の切り替え手段が前記第２の状態にする第２の動作モードの、いずれかの動作モードを選択する選択手段を備えたものである。
【００１３】
第７の態様による撮像装置は、前記第１の態様において、（i）前記調光部は、前記制御信号に応じて、有効表示領域において部分領域毎に光散乱状態と透明状態とに切り替え可能であり、（ii）前記調光部の有効表示領域が全体的に透明状態にされかつ前記第１の切り替え手段が前記第１の状態にする第１の動作モードと、前記調光部の有効表示領域が全体的に光散乱状態にされかつ前記第１の切り替え手段が前記第２の状態にする第２の動作モードと、前記調光部の有効表示領域の一部の領域が透明状態にされる一方で前記調光部の有効表示領域の他の領域が光散乱状態にされかつ前記第１の切り替え手段が前記第２の状態にする第３の動作モードの、いずれかの動作モードを選択する選択手段を備えたものである。
【００１４】
第８の態様による撮像装置は、前記第２乃至第５のいずれかの態様において、前記調光部の有効表示領域が全体的に透明状態にされ、前記第１の切り替え手段が前記第１の状態にし、かつ前記第２の切り替え手段が前記第４の状態にする第１の動作モードと、前記調光部の有効表示領域が全体的に光散乱状態にされ、前記第１の切り替え手段が前記第２の状態にする第２の動作モードと、前記調光部の有効表示領域の一部の領域が透明状態にされる一方で前記調光部の有効表示領域の他の領域が光散乱状態にされ、前記第１の切り替え手段が前記第２の状態にし、かつ前記第２の切り替え手段が前記第３状態にする第３の動作モードの、いずれかの動作モードを選択する選択手段を備えたものである。
【００１５】
第９の態様による撮像装置は、前記第２乃至第５のいずれかの態様において、前記調光部の有効表示領域が全体的に透明状態にされ、前記第１の切り替え手段が前記第１の状態にし、かつ前記第２の切り替え手段が前記第４の状態にする第１の動作モードと、前記調光部の有効表示領域が全体的に光散乱状態にされ、前記第１の切り替え手段が前記第２の状態にする第２の動作モードと、前記調光部の有効表示領域の一部の領域が透明状態にされる一方で前記調光部の有効表示領域の他の領域が光散乱状態にされ、前記第１の切り替え手段が前記第２の状態にし、かつ前記第２の切り替え手段が前記第３状態にする第３の動作モードと、前記調光部の有効表示領域の一部の領域が透明状態にされる一方で前記調光部の有効表示領域の他の領域が光散乱状態にされ、前記第１の切り替え手段が前記第２の状態にし、かつ前記第２の切り替え手段が前記第４の状態にする第４の動作モードの、いずれかの動作モードを選択する選択手段を備えたものである。
【００１６】
第１０の態様による撮像装置は、前記第１乃至第９のいずれかの態様において、前記第１の切り替え手段は、前記撮影レンズを通過した光を前記第１の光学系へ向けて反射させる第１の位置と前記撮影レンズを通過した光を反射させずに前記撮像素子へ向かわせる第２の位置とに移動可能である第１の可動ミラーを、含むものである。
【００１７】
第１１の態様による撮像装置は、前記第１乃至第１０のいずれかの態様において、前記調光部は高分子分散液晶層を含むものである。
【発明の効果】
【００１８】
本発明によれば、撮影者が姿勢を変えることなく、光学像の被写体像の観察と、撮像され画像表示された被写体像の観察とを、切り替えて行うことができる撮像装置を提供することができる。
【図面の簡単な説明】
【００１９】
【図１】本発明の第１の実施の形態による電子カメラの主要な要素を横から見た概略図である。
【図２】図１に示す電子カメラの主な要素を上から見た概略図である。
【図３】図１中の画像表示部及び調光部の有効表示領域の断面と平面をそれぞれ模式的に示す概略図である。
【図４】図１に示す電子カメラを示す概略ブロック図である。
【図５】図１に示す電子カメラの電子ビューファインダ表示の各例を模式的に示す図である。
【図６】図１に示す電子カメラの光学ファインダ表示の各例を模式的に示す図である。
【図７】本発明の第２の実施の形態による電子カメラの画像表示部及び調光部の有効表示領域を模式的に示す概略平面図である。
【図８】本発明の第２の実施の形態による電子カメラのファインダ表示の各例を模式的に示す図である。
【図９】本発明の第３の実施の形態による電子カメラの主要な要素を横から見た概略図である。
【図１０】図９に示す電子カメラの主な要素を上から見た概略図である。
【図１１】図９に示す電子カメラを示す概略ブロック図である。
【図１２】図９に示す電子カメラの画像表示部及び調光部の有効表示領域を模式的に示す概略平面図である。
【図１３】図９に示す電子カメラのファインダ表示の各例を模式的に示す図である。
【図１４】本発明の第３の実施の形態による電子カメラの変形例におけるファインダ表示の各例を模式的に示す図である。
【図１５】本発明の第４の実施の形態による電子カメラの画像表示部及び調光部の有効表示領域を模式的に示す概略平面図である。
【発明を実施するための形態】
【００２０】
以下、本発明による撮像装置について、図面を参照して説明する。
【００２１】
［第１の実施の形態］
図１は、本発明の第１の実施の形態による撮像装置としての電子カメラ１の主要な要素を横から見た概略図である。図２は、図１に示す電子カメラ１の主な要素を上から見た概略図である。
【００２２】
図１及び図２に示すように、互いに直交するＸ軸、Ｙ軸及びＺ軸を定義する。Ｘ軸方向のうち矢印の向きを＋Ｘ方向又は＋Ｘ側、その反対の向きを−Ｘ方向又は−Ｘ側と呼ぶ。接眼窓２４を覗いた観察者を基準として上下左右前後を決めると、＋Ｘ側が右側、−Ｘ側が左側、＋Ｙ側が前側、−Ｙ側が後側（背面側）、＋Ｚ側が上側、−Ｚ側が下側に一致している。これらの点は、後述する図についても同様である。なお、以下の説明において、光の進行方向は、光軸上の光が進行する方向を示すものとする。
【００２３】
本実施の形態による電子カメラ１は、いわゆるデジタルカメラとして構成されているが、本発明による撮像装置はこれに限らない。本実施の形態による電子カメラ１は、カメラボディ１１の前方に、撮影レンズ１２が装着されている。この撮影レンズ１２は、交換可能であってもよいし、交換不能であってもよい。また、撮影レンズ１２は、ズームレンズでもよいし、単焦点レンズでもよい。
【００２４】
撮影レンズ１２の光軸はＹ軸方向に延びており、その光軸上には、第１の可動ミラー１３、シャッタ１４及び撮像素子１５が順に配置されている。第１の可動ミラー１３は、撮影レンズ１２を通過した光を＋Ｚ方向へ反射させる（すなわち、後述する第１の光学系へ向けて反射させる）第１の位置（図１中の実線位置）と、撮影レンズ１２を通過した光を反射させずに撮像素子１５へ向かわせる第２の位置（図１中の破線位置）とに、移動可能になっている。第１の可動ミラー１３が破線位置に位置しているときに、撮影レンズ１２によって被写体像が撮像素子１５上に結像され、その被写体像が撮像素子１５により撮像される。
【００２５】
可動ミラー１３の＋Ｚ側には、後述する第１の光学系の一部をなす焦点板１６及びペンタプリズム（ダハなし）１７が順に配置されている。第１の可動ミラー１３が実線位置に位置しているときに、撮影レンズ１２によって被写体像が焦点板１６上に一旦結像され、焦点板１６上に一旦結像された光は、ペンタプリズム１７に入射しその内面で２回反射された後に、ペンタプリズム１７から−Ｙ方向に出射される。
【００２６】
ペンタプリズム１７の−Ｙ側には、リレーレンズ１８及びハーフミラー１９が順に配置されている。ペンタプリズム１７から−Ｙ方向に出射された光は、リレーレンズ１８を通過した後、その一部がハーフミラー１９によって−Ｘ方向に反射される。
【００２７】
ハーフミラー１９の−Ｘ側には、２次元状の調光部２０及び２次元状の画像表示部２１が順に配置されている。画像表示部２１は、撮像素子１５により撮像された被写体像を、撮像素子１５からの撮像信号に基づく画像として表示し得るものである。本実施の形態では、画像表示部２１として液晶表示パネルが用いられているが、画像表示部２１はこれに限らない。本実施の形態では、調光部２０は、画像表示部２１の表示側（＋Ｘ側）に配置され、制御信号に応じて有効表示領域Ｒにおいて全体的にのみ光散乱状態と透明状態とに切り替え可能に構成されている。
【００２８】
図３（ａ）は、画像表示部２１及び調光部２０の有効表示領域Ｒの断面を模式的に示す概略断面図である。図３（ａ）では、画像表示部２１の断面構造の図示は省略している。図３（ｂ）は、画像表示部２１及び調光部２０の有効表示領域Ｒの平面を模式的に示す概略平面図である。
【００２９】
本実施の形態では、調光部２０は、２枚のガラス板等の透明板３１，３２と、透明板３１，３２間に挟まれたＰＮ液晶（ポリマーネットワーク液晶）層等の高分子分散液晶層３３と、透明板３１の高分子分散液晶層３３側の面に形成されたＩＴＯ膜等の透明電極３４と、透明板３２の高分子分散液晶３３側の面に形成されたＩＴＯ等の透明電極３５とを有している。いずれの透明電極３４，３５も、有効表示領域の全体に渡ってベタに形成されている。透明電極３４，３５間に電圧が印加されていない場合には、高分子分散液晶３３が有効表示領域Ｒの全体に渡って光散乱状態となる一方で、透明電極３４，３５間に電圧が印加されている場合には、高分子分散液晶３３が有効表示領域Ｒの全体に渡って透明状態となる。この電圧印加・非印加の信号が前記制御信号として用いられる。高分子分散液晶層３３は、前記光散乱状態では、磨りガラスと同様となる。なお、調光部２０の具体的な構成は、図３（ａ）に示す構成に限らない。
【００３０】
なお、画像表示部２１として用いられている液晶表示パネルは、例えば、２枚の透明板の間に液晶層、配向膜、透明電極等を挟んだ構造を持つ。調光部２０の透明板３２は、液晶表示パネルの＋Ｘ側の透明板とは別に設けてもよいし、液晶表示パネルの＋Ｘ側の透明板（図示せず）を兼用してもよい。
【００３１】
再び図１及び図２を参照すると、リレーレンズ１８は、焦点板１６上に一旦形成された被写体像を調光部２０上（すなわち、高分子分散液晶３３上）に形成する。本実施の形態では、リレーレンズ１８として通常の倍率固定レンズが用いられ、リレーレンズ１８の倍率は、撮像素子１５の撮像領域に対応する領域がちょうど有効表示領域Ｒとなる倍率に設定されている。もっとも、リレーレンズ１８の倍率はこの倍率に限らない。
【００３２】
以上の説明からわかるように、本実施の形態では、焦点板１６、ペンタプリズム１７、リレーレンズ１８及びハーフミラー１９が、撮影レンズ１２を通過した光による被写体像を調光部２０上に結像させる第１の光学系を構成している。もっとも、前記第１の光学系の構成はこの構成に限定されるものではない。また、本実施の形態では、第１の可動ミラー１３が、撮影レンズ１２を通過した光が撮像素子１５へ向かう第１の状態と撮影レンズ１２を通過した光が前記第１の光学系へ向かう第２の状態とを切り替える第１の切り替え手段を、構成している。もっとも、前記第１の切り替え手段は可動ミラー１３に限らない。
【００３３】
調光部２０の有効表示領域Ｒが透明状態である場合には、画像表示部２１に表示された画像の光は、調光部２０を透過して＋Ｘ方向へ進行してハーフミラー１９へ向かうが、リレーレンズ１８等の前記第１の光学系によって導かれて調光部２０上に結像した被写体像の光は、ハーフミラー１９へ向かわずに無効となる。一方、調光部２０の有効表示領域Ｒが光散乱状態である場合には、画像表示部２１に表示された画像の光は、調光部２０によって散乱されて遮光され、ハーフミラー１９へ向かわずに無効となるが、リレーレンズ１８等の前記第１の光学系によって導かれて調光部２０上に結像した被写体像の光は、調光部２０によって散乱されて＋Ｘ方向へ進行してハーフミラー１９へ向かう。
【００３４】
したがって、調光部２０は、画像表示部２１に対しては透過型の光シャッタとして機能するとともに、リレーレンズ１８等の前記第１の光学系によって導かれて調光部２０上に結像した被写体像の光に対しては反射型の光シャッタ（反射させる際には焦点板と同様の機能を担う反射型の光シャッタ）として機能する。
【００３５】
ハーフミラー１９の＋Ｘ側には、ミラー２２が配置されている。ミラー２２の−Ｙ側には、接眼レンズ２３及び接眼部としての接眼窓２４が順に配置されている。接眼窓２４は、カメラボディ１１の背面に設けられている。
【００３６】
画像表示部２１から＋Ｘ方向へ進行してハーフミラー１９に到達した光の一部、及び、調光部２０から＋Ｘ方向へ進行してハーフミラー１９に到達した光の一部は、ハーフミラー１９を透過した後に、そのまま＋Ｘ方向に進行し、ミラー２２によって−Ｙ方向へ反射され、接眼レンズ２３及び接眼窓２４を経て、接眼窓２４を覗いている観察者の目１００に到達する。接眼レンズ２３は、画像表示部２１の表示画像のうち調光部２０における透明状態となっている領域に対応する画像、及び、前記第１の光学系によって調光部２０上に結像された被写体像のうち調光部２０における光散乱状態となっている領域上に結像された像を、観察者の目１００の瞳に結像する。なお、調光部２０と画像表示部２１とは光軸方向に位置がずれているが、その位置ずれは接眼レンズ２４の被写界深度等により吸収し得る。
【００３７】
以上の説明からわかるように、本実施の形態では、ハーフミラー１９、ミラー２２及び接眼レンズ２３が、画像表示部２１の表示画像のうち調光部２０における透明状態となっている領域に対応する画像、及び、前記第１の光学系によって調光部２０上に結像された被写体像のうち調光部２０における光散乱状態となっている領域上に結像された像を、接眼窓２４から観察可能となるように導く第２の光学系を構成している。
【００３８】
図４は、本実施の形態による電子カメラ１を示す概略ブロック図である。撮影レンズ１２は、レンズ制御部４１によってフォーカスや絞りが駆動される。撮像素子１５としては、例えば、ＣＭＯＳイメージセンサやＣＣＤイメージセンサなどが用いられる。撮像素子１５は、撮像制御部４２から出力される制御信号によって駆動され、撮像した被写体像を示す画像信号を出力する。撮像素子１５から出力される画像信号は、信号処理部４３及びＡ／Ｄ変換部４４を介して処理された後、メモリ４５に一旦蓄積される。メモリ４５は、バス４６に接続される。バス４６には、レンズ制御部４１、撮像制御部４２、マイクロプロセッサ４７、画像処理部４８、画像圧縮部４９、画像表示部２１を制御する表示制御部５０、調光部２０の光散乱状態及び透明状態に制御する調光制御部５１、可動ミラー１３の位置を前記第１及び第２の位置に制御するミラー制御部５２及び記録部５３なども接続される。マイクロプロセッサ４７には、レリーズ釦や設定ダイヤルなどの操作部５４が接続される。また、上記の記録部５３には記録媒体５３ａが着脱自在に装着される。
【００３９】
本実施の形態では、操作部５４は、ファインダ表示動作に関して、第１の動作モード（電子ビューファインダ表示モード）と第２の動作モード（光学ファインダ表示モード）の、いずれかの動作モードを選択する選択手段として機能する。
【００４０】
以下の説明では、撮影レンズ１２としてズームレンズが装着されているものとして説明するが、前述したように撮影レンズ１２は単焦点レンズでもよい。
【００４１】
操作部５４により第１の動作モード（電子ビューファインダ動作）が選択された場合には、その選択に応じて、マイクロプロセッサ４７は、ミラー制御部５２を介して可動ミラー１３の位置を図１中の破線位置に位置させ、調光制御部５１を介して調光部２０の有効表示領域Ｒの全体を透明状態にする。可動ミラー１３が図１中の破線位置に位置するので、撮影レンズ１２を通過した光による被写体像が撮像素子１５上に結像される。
【００４２】
そして、マイクロプロセッサ４７は、撮像制御部４２に撮像の指令を与え、撮像素子１５から画像信号を読み出して、撮影レンズ１２を通過した光による被写体像の撮像を行う。この画像信号は、信号処理部４３により増幅等された後にＡ／Ｄ変換部４４によりＡ／Ｄ変換され、画像データとしてメモリ４５に蓄積される。引き続いて、マイクロプロセッサ４７は、表示制御部５０を介して、この画像データに基づく被写体像を電子画像として、画像表示部２１にその有効表示領域Ｒの全体に表示させる。なお、この画像データに基づく被写体像に任意の情報を合成した表示画像を、画像表示部２１に表示させてもよい。
【００４３】
このとき、調光部２０の有効表示領域Ｒの全体が透明状態となっているので、観察者は、有効表示領域Ｒに相当する観察領域Ｒ’の全体において、撮像されるべき被写体像の全体を電子画像として見ることになる。その後、撮像素子１５の撮像以降の動作を順次繰り返す。
【００４４】
このようにして、第１の動作モード時には、接眼窓２４から電子ビューファインダ表示が観察される。
【００４５】
図５は、この第１の動作モード時において接眼窓２４から観察される表示である電子ビューファインダ表示の各例を示している。図５（ａ）は撮影レンズ１２を広角にした場合の例を示し、図５（ｂ）は拡大時（撮影レンズ１２を望遠側にした場合）の例を示している。いずれの場合も、有効表示領域Ｒに相当する観察領域Ｒ’の全体において、撮像されるべき被写体像全体が電子画像として表示されている。
【００４６】
操作部５４により第２の動作モード（光学ファインダ表示動作）が選択された場合には、その選択に応じて、マイクロプロセッサ４７は、ミラー制御部５２を介して可動ミラー１３の位置を図１中の実線位置に位置させ、調光制御部５１を介して調光部２０の有効表示領域Ｒの全体を光散乱状態にする。可動ミラー１３が図１中の実線位置に位置するので、撮影レンズ１２を通過した光が可動ミラー１３により反射され、撮影レンズ１２を通過した光による被写体像（光学像）が、調光部２０上に結像される。このとき、被写体像は、調光部２０の有効表示領域Ｒの全体に形成される。
【００４７】
このとき、調光部２０の有効表示領域Ｒの全体が光散乱状態となっているので、観察者は、有効表示領域Ｒに相当する観察領域Ｒ’の全体において、撮像されるべき被写体像の全体を光学像として見ることになる。
【００４８】
このようにして、第２の動作モード時には、接眼窓２４から光学ファインダ表示が観察される。
【００４９】
図６は、この第２の動作モード時において接眼窓２４から観察される表示である光学ファインダ表示の各例を示している。図６は、図５と同じ被写体を観察している例を示している。図６（ａ）は撮影レンズ１２を広角にした場合の例を示し、図６（ｂ）は拡大時（撮影レンズ１２を望遠側にした場合）の例を示している。いずれの場合も、有効表示領域Ｒに相当する観察領域Ｒ’の全体において、撮像されるべき被写体像の全体が光学像として表示されている。
【００５０】
そして、観察者が、前記ファインダ表示（電子ビューファインダ表示又は光学ファインダ表示）を観察することで、構図等を決定し、操作部５４のうちのレリーズ釦の半押し操作により暫定的に決定された露光状態や合焦位置を確認し、必要なら操作部５４よる操作等によりそれらを再調整した後に、操作部５４のうちのレリーズ釦を全押しすると、その撮影条件で本撮影が行われる。このとき、可動ミラー１３の位置は、図１中の破線位置にされる。この本撮影により撮像素子１５から読み出され画像信号は、信号処理及びＡ／Ｄ変換後に、メモリ４５に蓄積される。
【００５１】
その後、マイクロプロセッサ４７は、操作部５４の指令に基づき、メモリ４５内の画像信号に対して必要に応じて画像処理部４８や画像圧縮部４９にて所望の処理を行い、記録部５３に処理後の信号を出力させ記録媒体５３ａに記録する。
【００５２】
なお、本撮影時において、静止画像のみならず、動画像を撮像して記録媒体５３ａに記録するようにしてもよい。
【００５３】
本実施の形態によれば、観察者は、電子ビューファインダ表示と光学ファインダ表示とを切り替えて、同じ接眼窓２４から観察することができる。したがって、本実施の形態によれば、撮影者が姿勢を変えることなく、光学像の被写体像の観察と、撮像され画像表示された被写体像の観察とを、切り替えて行うことができる。
【００５４】
［第２の実施の形態］
図７は、本発明の第２の実施の形態による電子カメラの画像表示部２１及び調光部２０の有効表示領域Ｒの平面を模式的に示す概略平面図であり、図３（ｂ）に対応している。
【００５５】
本実施の形態による電子カメラが前記第１の実施の形態による電子カメラ１と異なる所は、以下に説明する点である。
【００５６】
本実施の形態では、有効表示領域Ｒが、中央の領域Ｒ１と、上側の領域Ｒ２と、下側の領域Ｒ３とに分けられ、調光部２０において、一方の透明電極３４が各領域Ｒ１〜Ｒ３にパターニングされ、透明電極３４の各領域Ｒ１〜Ｒ３の部分が互いに電気的に絶縁され、それらの部分に互いに独立して電圧を印加し得るように構成されている。これにより、本実施の形態では、調光部２０は、高分子分散液晶３３の各領域Ｒ１〜Ｒ３の部分の透明状態・光散乱状態を、領域Ｒ１〜Ｒ３毎に切り替え得るように構成されている。したがって、本実施の形態では、調光部２０は、有効表示領域Ｒの部分領域Ｒ１〜Ｒ３毎に光散乱状態と透明状態とに切り替え可能となっている。中央の領域Ｒ１の横寸法と縦寸法との比は、例えば、動画像に適した１６：９に設定される。
【００５７】
そして、本実施の形態では、調光制御部５１は、マイクロプロセッサ４７からの指令に応じて、調光部２０の各部分領域Ｒ１〜Ｒ３の光散乱状態及び透明状態を制御する。
【００５８】
本実施の形態では、操作部５４は、ファインダ表示動作に関して、前記第１の実施の形態と同様の第１の動作モード（電子ビューファインダ表示モード）と第２の動作モード（光学ファインダ表示モード）に、第３の動作モードを加えたもののうちの、いずれかの動作モードを選択する選択手段として機能する。
【００５９】
本実施の形態における第１及び第２の動作モードの動作は、前記第１の実施の形態における第１及び第２の動作モードとそれぞれ同様であるので、重複する説明は省略する。なお、本実施の形態では、第１の動作モードでは、マイクロプロセッサ４７は、調光部２０の有効表示領域Ｒの全体を透明状態にするべく、調光制御部５１を介して調光部２０の部分領域Ｒ１〜Ｒ３をそれぞれ透明状態にする。また、第２の動作モードでは、マイクロプロセッサ４７は、調光部２０の有効表示領域Ｒの全体を光散乱状態にするべく、調光制御部５１を介して調光部２０の部分領域Ｒ１〜Ｒ３をそれぞれ光散乱状態にする。
【００６０】
本実施の形態では、操作部５４により第３の動作モードが選択された場合には、その選択に応じて、マイクロプロセッサ４７は、ミラー制御部５２を介して可動ミラー１３の位置を図１中の実線位置に位置させ、調光制御部５１を介して調光部２０の有効表示領域Ｒのうちの部分領域Ｒ１を光散乱状態にする一方で調光部２０の有効表示領域Ｒのうちの部分領域Ｒ２，Ｒ３を透明状態にする。
【００６１】
可動ミラー１３が図１中の実線位置に位置するので、撮影レンズ１２を通過した光が可動ミラー１３により反射され、撮影レンズ１２を通過した光による被写体像（光学像）が、調光部２０上に結像される。このとき、被写体像は、調光部２０の有効表示領域Ｒの全体に形成される。
【００６２】
また、マイクロプロセッサ４７は、表示制御部５０を介して、画像表示部２１の少なくとも有効表示領域Ｒの領域Ｒ２，Ｒ３にそれぞれ黒色表示（その代わりに、任意の情報の表示などでもよい。）を行わせる。
【００６３】
今、調光部２０の有効表示領域Ｒの部分領域Ｒ１が光散乱状態である一方で、調光部２０の有効表示領域Ｒの部分領域Ｒ２，Ｒ３が透明状態であるので、観察者は、有効表示領域Ｒに相当する観察領域Ｒ’のうちの中央の部分領域Ｒ１に相当する中央の部分領域Ｒ１’において、被写体像の一部（被写体像のうちの部分領域Ｒ１上に結像した像）を光学像として見るとともに、有効表示領域Ｒに相当する観察領域Ｒ’のうちの上下の部分領域Ｒ２，Ｒ３に相当する中央の部分領域Ｒ２’，Ｒ３’において、黒色表示された電子画像を余白に相当するものとして見ることになる。
【００６４】
このようにして、第３の動作モード時には、接眼窓２４から、被写体像の一部を切り出したような光学ファインダ表示が観察される。
【００６５】
図８（ａ）は、第１の動作モード時において接眼窓２４から観察される表示である電子ビューファインダ表示の例を示している。図８（ｂ）は、第２の動作モード時において接眼窓２４から観察される表示である光学ファインダ表示の例を示している。図８（ｃ）は、第３の動作モード時において接眼窓２４から観察される表示である、被写体像の一部を切り出したような光学ファインダ表示の例を示している。これらの例では、撮影レンズ１２の焦点距離を同一に設定して、同一の被写体を観察している。
【００６６】
本実施の形態によれば、前記第１の実施の形態と同様の利点が得られる他、前記第３の動作モードも選択し得るので、撮影範囲に応じて、被写体像の一部を切り出したような光学ファインダ表示を観察することができるという利点も得られる。
【００６７】
［第３の実施の形態］
図９は、本発明の第３の実施の形態による撮像装置としての電子カメラ２０１の主要な要素を横から見た概略図であり、図１に対応している。図１０は、図９に示す電子カメラ２０１の主な要素を上から見た概略図であり、図２に対応している。図１１は、図９に示す電子カメラ２０１を示す概略ブロック図であり、図４に対応している。図９乃至図１１において、図１、図２及び図４中の要素と同一又は対応する要素には同一符号を付し、その重複する説明は省略する。
【００６８】
本実施の形態による電子カメラ２０１が前記第１の実施の形態による電子カメラ２０１と異なる所は、以下に説明する点である。
【００６９】
本実施の形態では、受光窓６１、対物レンズ６２、ミラー６３及び第２の可動ミラー６４が追加されている。受光窓６１は、カメラボディ１１の前面上部に配置されている。対物レンズ６２は、被写体像を撮像素子１５上に結像させる結像光学系を構成し、受光窓６１の−Ｙ側に配置されている。ミラー６３は、受光窓６１及び対物レンズ６２を通過して−Ｙ方向に進行する被写体からの光を、−Ｚ方向へ反射する。
【００７０】
第２の可動ミラー６４は、ミラー６３の−Ｚ側でかつ可動ミラー１３とシャッタ１４との間に配置されている。第２の可動ミラー６４は、撮影レンズ１２を通過した光が撮像素子１５に向かう光路に進出して、対物レンズ６２を通過した光を撮像素子１５へ向けて−Ｙ方向へ反射させる第３の位置（図９中の実線位置）と、前記光路から退避して対物レンズ６２を通過した光を撮像素子１５へ向かわせない第４の位置（図９中の破線位置）とに、移動可能になっている。
【００７１】
本実施の形態では、第２の可動ミラー６４が、対物レンズ６２を通過した光が撮像素子１５に向かう第３の状態と、対物レンズ６２を通過した光が撮像素子１５に向かわず、かつ、第１の可動ミラー６４が撮影レンズ１２を通過した光を撮像素子１５に向かわせる第１の状態であることを条件として撮影レンズ１２を通過した光が撮像素子１５へ向かう第４の状態と、を切り替える第２の切り替え手段を、構成している。もっとも、前記第２の切り替え手段は可動ミラー６４に限らない。
【００７２】
対物レンズ６２の焦点距離は、撮影レンズ１２を望遠側にしたときに撮像素子１５の撮像領域に結像する被写体の範囲よりも、所望の程度広い被写体の範囲が撮像素子１５の撮像領域に結像するような、広角の焦点距離に設定されている。
【００７３】
本実施の形態では、ミラー制御部５２は、第１の可動ミラー１３の位置を前記第１及び第２の位置に制御するのみならず、第２の可動ミラー６４の位置を前記第３及び第４の位置に制御する。
【００７４】
また、本実施の形態では、リレーレンズ１８として倍率固定レンズに代えて倍率可変レンズが用いられ、リレーレンズ１８の倍率を制御する倍率制御部７１が追加されている。本実施の形態では、倍率制御部７１は、リレーレンズ１８の倍率を、撮像素子１５の撮像領域に対応する領域がちょうど有効表示領域Ｒとなる第１の倍率と、撮像素子１５の撮像領域に対応する領域がちょうど有効表示領域Ｒの後述する中央領域Ｒ４（後述の図１２参照）となる第２の倍率とに制御する。
【００７５】
図１２は、本実施の形態による電子カメラ２０１の画像表示部２１及び調光部２０の有効表示領域Ｒの平面を模式的に示す概略平面図であり、図３（ｂ）に対応している。
【００７６】
本実施の形態では、有効表示領域Ｒが、中央の領域Ｒ４と、その周辺の領域Ｒ５とに分けられ、調光部２０において、一方の透明電極３４が各領域Ｒ４，Ｒ５にパターニングされ、透明電極３４の各領域Ｒ４，Ｒ５の部分が互いに電気的に絶縁され、それらの部分に互いに独立して電圧を印加し得るように構成されている。これにより、本実施の形態では、調光部２０は、高分子分散液晶３３の各領域Ｒ４，Ｒ５の部分の透明状態・光散乱状態を、領域Ｒ４，Ｒ５毎に切り替え得るように構成されている。したがって、本実施の形態では、調光部２０は、有効表示領域Ｒの部分領域Ｒ４，Ｒ５毎に光散乱状態と透明状態とに切り替え可能となっている。なお、本実施の形態では、領域Ｒ４は、領域Ｒを比例して縮小したものとなっている。
【００７７】
本実施の形態では、操作部５４は、ファインダ表示動作に関して、第１の動作モード（電子ビューファインダ表示モード）と、第２の動作モード（光学ファインダ表示モード）と、第３の動作モード（本実施の形態では、中央の光学ファインダ表示と周辺の電子ビューファインダ表示とのハイブリッド表示モード）の、いずれかの動作モードを選択する選択手段として機能する。
【００７８】
操作部５４により第１の動作モード（電子ビューファインダ動作）が選択された場合には、その選択に応じて、マイクロプロセッサ４７は、ミラー制御部５２を介して第１の可動ミラー１３の位置を図９中の破線位置に位置させるとともに第２の可動ミラー６４の位置を図９中の破線位置に位置させ、調光制御部５１を介して調光部２０の有効表示領域Ｒを全体的に透明状態にする（すなわち、有効表示領域Ｒの各領域Ｒ４，Ｒ５を透明状態にする）。このとき、リレーレンズ１８の倍率は、前記第１の倍率でもよいし、前記第２の倍率でもよい。可動ミラー１３，６４がそれぞれ図９中の破線位置に位置するので、撮影レンズ１２を通過した光による被写体像が撮像素子１５上に結像される。一方、可動ミラー６４が図９中の破線位置に位置するので、対物レンズ６２を通過した光による被写体像は、撮像素子１５上に結像されない。
【００７９】
そして、マイクロプロセッサ４７は、撮像制御部４２に撮像の指令を与え、撮像素子１５から画像信号を読み出して、撮影レンズ１２を通過した光による被写体像の撮像を行う。この画像信号は、信号処理部４３により増幅等された後にＡ／Ｄ変換部４４によりＡ／Ｄ変換され、画像データとしてメモリ４５に蓄積される。引き続いて、マイクロプロセッサ４７は、表示制御部５０を介して、この画像データに基づく被写体像を電子画像として、画像表示部２１にその有効表示領域Ｒの全体に表示させる。なお、この画像データに基づく被写体像に任意の情報を合成した表示画像を、画像表示部２１に表示させてもよい。
【００８０】
このとき、調光部２０の有効表示領域Ｒは全体的に透明状態となっているので、観察者は、有効表示領域Ｒに相当する観察領域Ｒ’の全体において、撮像されるべき被写体像の全体を電子画像として見ることになる。その後、撮像素子１５の撮像以降の動作を順次繰り返す。
【００８１】
このようにして、第１の動作モード時には、接眼窓２４から電子ビューファインダ表示が観察される。
【００８２】
本実施の形態において、この第１の動作モード時において接眼窓２４から観察される表示である電子ビューファインダ表示の各例は、前記第１の実施の形態における図５（ａ）に示す例及び図５（ｂ）に示す例と同じになる。図５（ａ）は撮影レンズ１２を広角にした場合の例を示し、図５（ｂ）は拡大時（撮影レンズ１２を望遠側にした場合）の例を示している。いずれの場合も、有効表示領域Ｒに相当する観察領域Ｒ’の全体において、撮像されるべき被写体像の全体が電子画像として表示されている。
【００８３】
操作部５４により第２の動作モード（光学ファインダ表示動作）が選択された場合には、その選択に応じて、マイクロプロセッサ４７は、ミラー制御部５２を介して第１の可動ミラー１３の位置を図９中の実線位置に位置させ、調光制御部５１を介して調光部２０の有効表示領域Ｒを全体的に光散乱状態にし（すなわち、有効表示領域Ｒの各領域Ｒ４，Ｒ５を光散乱状態にし）、倍率制御部７１を介してリレーレンズ１８の倍率を前記第１の倍率にする。第２の動作モードでは、第２の可動ミラー６４の位置は、図９中の実線位置及び破線位置のいずれに位置してもよい。第１の可動ミラー１３が図９中の実線位置に位置するので、撮影レンズ１２を通過した光が第１の可動ミラー１３により反射され、撮影レンズ１２を通過した光による被写体像（光学像）が、調光部２０上に結像される。このとき、リレーレンズ１８の倍率が前記第１の倍率であるので、被写体像は、調光部２０の有効表示領域Ｒの全体に形成される。
【００８４】
このとき、調光部２０の有効表示領域Ｒが全体的に光散乱状態となっているので、観察者は、有効表示領域Ｒに相当する観察領域Ｒ’の全体において、撮像されるべき被写体像の全体を光学像として見ることになる。
【００８５】
このようにして、第２の動作モード時には、接眼窓２４から光学ファインダ表示が観察される。
【００８６】
本実施の形態において、この第２の動作モード時において接眼窓２４から観察される表示である光学ファインダ表示の各例は、前記第１の実施の形態における図６（ａ）に示す例及び図６（ｂ）に示す例と同じになる。図６（ａ）は撮影レンズ１２を広角にした場合の例を示し、図６（ｂ）は拡大時（撮影レンズ１２を望遠側にした場合）の例を示している。いずれの場合も、有効表示領域Ｒに相当する観察領域Ｒ’の全体において、撮像されるべき被写体像の全体が光学像として表示されている。
【００８７】
操作部５４により第３の動作モード（本実施の形態では、中央の光学ファインダ表示と周辺の電子ビューファインダ表示とのハイブリッド表示モード）が選択された場合には、その選択に応じて、マイクロプロセッサ４７は、ミラー制御部５２を介して第１の可動ミラー１３の位置を図９中の実線位置に位置させるとともに第２の可動ミラー６４の位置を図９中の実線位置に位置させ、調光制御部５１を介して調光部２０の有効表示領域Ｒのうちの中央領域Ｒ４を光散乱状態にするとともに周辺領域Ｒ５を透明状態にし、倍率制御部７１を介してリレーレンズ１８の倍率を前記第２の倍率にする。第１の可動ミラー１３が図９中の実線位置に位置するので、撮影レンズ１２を通過した光が第１の可動ミラー１３により反射され、撮影レンズ１２を通過した光による被写体像（光学像）が、調光部２０上に結像される。このとき、リレーレンズ１８の倍率が前記第２の倍率であるので、撮像されるべき被写体像の全体は、調光部２０の有効表示領域Ｒのうちの中央領域Ｒ４にのみ形成される。また、第２の可動ミラー６４が図９中の実線の位置に位置するので、対物レンズ６２を通過した光による被写体像が広角で撮像素子１５上に結像される。一方、第１の可動ミラー１３が図９中の実線位置に位置するので、撮影レンズ１２を通過した光による被写体像は撮像素子１５上に結像されない。
【００８８】
そして、マイクロプロセッサ４７は、撮像制御部４２に撮像の指令を与え、撮像素子１５から画像信号を読み出して、対物レンズ６２を通過した光による被写体像の撮像を行う。この画像信号は、信号処理部４３により増幅等された後にＡ／Ｄ変換部４４によりＡ／Ｄ変換され、画像データとしてメモリ４５に蓄積される。引き続いて、マイクロプロセッサ４７は、表示制御部５０を介して、この画像データに基づく被写体像を電子画像として、画像表示部２１にその有効表示領域Ｒの全体に表示させる。
【００８９】
今、調光部２０の有効表示領域Ｒの中央領域Ｒ４が光散乱状態である一方で、調光部２０の有効表示領域Ｒの周辺領域Ｒ５が透明状態であるので、観察者は、有効表示領域Ｒに相当する観察領域Ｒ’のうちの中央領域Ｒ４に相当する中央領域Ｒ４において、撮像すべき被写体像の全体を光学像として見るとともに、有効表示領域Ｒに相当する観察領域Ｒ’のうちの周辺領域Ｒ５に相当する周辺領域Ｒ５’において、対物レンズ６２を通過した光による広角の被写体像の一部（その広角の被写体像のうちの周辺領域Ｒ５上に結像した像）を光学像として見ることになる。
【００９０】
このようにして、第３の動作モード時には、接眼窓２４から、撮像すべき被写体像を全体的に表示する中央の光学ファインダ表示と、広角の被写体像の周辺部を表示する周辺の電子ビューファインダ表示とが、ハイブリッドに観察される。
【００９１】
図１３は、この第３の動作モード時において接眼窓２４から観察されるファインダ表示の各例を示している。図１３（ａ）は撮影レンズ１２を広角にした場合の例を示し、図１３（ｂ）は拡大時（撮影レンズ１２を望遠側にした場合）の例を示している。いずれの場合も、有効表示領域Ｒの中央領域Ｒ４に相当する観察領域Ｒ’の中央領域Ｒ４’において、撮像されるべき被写体像の全体が光学像として表示され、有効表示領域Ｒの周辺領域Ｒ５に相当する観察領域Ｒ’の周辺領域Ｒ５’において、対物レンズ６２を通過した光による広角の被写体像の周辺部が電子画像として表示されている。ここでは、図１３（ａ）（ｂ）、図５（ａ）（ｂ）及び図６（ａ）（ｂ）のいずれの場合も、同一の被写体を観察しているものとし、図１３（ａ）、図５（ａ）及び図６（ａ）のいずれの場合も、撮影レンズ１２の焦点距離を広角の同じ焦点距離に設定しているものとし、図１３（ｂ）、図５（ｂ）及び図６（ｂ）のいずれの場合も、撮影レンズ１２の焦点距離を望遠側の同じ焦点距離に設定しているものとし、広角の対物レンズ６２を通過した光による撮像素子１５上の被写体像と、図５（ａ）の場合に広角時の撮影レンズ１２を通過した光による撮像素子１５上の被写体像とが、同一になるものとしている。
【００９２】
本実施の形態によれば、前記第１の実施の形態と同様の利点が得られる。また、本実施の形態では、図１３（ｂ）に示すように、観察領域Ｒ’の中央領域Ｒ４’において、撮像されるべき拡大された被写体像の全体が光学像として表示され、観察領域Ｒ’の周辺領域Ｒ５’において、対物レンズ６２を通過した光による広角の被写体像の周辺部が電子画像が表示される。したがって、本実施の形態によれば、電子画像の拡大被写体像よりも格段に高画質である光学像による拡大被写体像を観察しながら、被写体の周囲の状況も同時に観察することができ、撮影状況に合わせた被写体の観察を実現し易いという利点も得られる。例えば、観察領域Ｒ’の中央領域Ｒ４’で鳥の拡大像を観察しているときに、鳥が飛び立ってしまう場合、鳥がいずれの方向に飛び立ったのかを観察領域Ｒ’の周辺領域Ｒ５’で観察することができ、迅速に鳥の像の捕捉を継続することができる。
【００９３】
なお、本実施の形態では、前述したようにリレーレンズ１８として倍率可変レンズが用いられている。しかし、本実施の形態においても、前記第１の実施の形態と同様に、リレーレンズ１８として倍率固定レンズを用いてもよい。この場合、例えば、リレーレンズ１８の倍率を、撮像素子１５の撮像領域に対応する領域がちょうど有効表示領域Ｒとなる倍率（第１の倍率）に固定してもよい。
【００９４】
図１４は、リレーレンズ１８の倍率を前記第１の倍率に固定した場合に、前記第３の動作モード時において接眼窓２４から観察されるファインダ表示の各例を示している。図１４（ａ）は撮影レンズ１２を広角にした場合の例を示し、図１４（ｂ）は拡大時（撮影レンズ１２を望遠側にした場合）の例を示している。図１４（ａ）（ｂ）（ｃ）及び図１３（ａ）（ｂ）のいずれの場合も同一の被写体を観察しているものとし、図１４（ａ）及び図１３（ａ）のいずれの場合も、撮影レンズ１２の焦点距離を広角の同じ焦点距離に設定しているものとし、図１４（ｂ）及び図１３（ｂ）のいずれの場合も、撮影レンズ１２の焦点距離を望遠側の同じ焦点距離に設定しているものとし、図１４（ｃ）の場合には、撮影レンズ１２の焦点距離をそれらの中間の焦点距離に設定しているものとしている。
【００９５】
リレーレンズ１８の倍率を前記第１の倍率に固定すると、図１４（ａ）〜（ｃ）に示すように、観察領域Ｒ’の中央領域Ｒ４’において、撮像されるべき被写体像の全体ではなくその一部が拡大されて表示されることになる。換言すると、図１４（ａ）〜（ｃ）の場合は、観察領域Ｒ’の中央領域Ｒ４’に現れている被写体の範囲よりも広い範囲が実際に撮像されることになる。
【００９６】
したがって、このようにリレーレンズ１８として倍率固定レンズを用いる場合に比べて、本実施の形態のようにリレーレンズ１８として倍率可変レンズを用いることが好ましい。もっとも、本発明では、本実施の形態を、リレーレンズ１８として倍率固定レンズを用いるように変形してもよい。
【００９７】
［第４の実施の形態］
図１５は、本発明の第４の実施の形態による電子カメラの画像表示部２１及び調光部２０の有効表示領域Ｒの平面を模式的に示す概略平面図であり、図７及び図１２に対応している。図１５において、図７及び図１２中の領域と同一領域には同一符号を付し、その重複する説明は省略する。
【００９８】
本実施の形態による電子カメラが前記第３の実施の形態による電子カメラ２０１と異なる所は、以下に説明する点である。
【００９９】
本実施の形態では、有効表示領域Ｒが、領域Ｒ２〜Ｒ４，Ｒ６に分けられ、調光部２０において、一方の透明電極３４が各領域Ｒ２〜Ｒ４，Ｒ６にパターニングされ、透明電極３４の各領域Ｒ２〜Ｒ４，Ｒ６の部分が互いに電気的に絶縁され、それらの部分に互いに独立して電圧を印加し得るように構成されている。これにより、本実施の形態では、調光部２０は、高分子分散液晶３３の各領域Ｒ２〜Ｒ４，Ｒ６の部分の透明状態・光散乱状態を、領域Ｒ２〜Ｒ４，Ｒ６毎に切り替え得るように構成されている。領域Ｒ２と領域６とを合わせた領域が図１２中の領域５となる。また、領域４と領域６とを合わせた領域が図７中の領域Ｒ１となる。
【０１００】
そして、本実施の形態では、調光制御部５１は、マイクロプロセッサ４７からの指令に応じて、調光部２０の各部分領域Ｒ２〜Ｒ４，Ｒ６の光散乱状態及び透明状態を制御する。
【０１０１】
本実施の形態では、操作部５４は、ファインダ表示動作に関して、前記第３の実施の形態と同様の第１乃至第３の動作モードに、第４の動作モードを加えたもののうちの、いずれかの動作モードを選択する選択手段として機能する。
【０１０２】
本実施の形態における第１乃至第３の動作モードの動作は、前記第３の実施の形態における第１乃至第３の動作モードとそれぞれ同様であるので、重複する説明は省略する。なお、本実施の形態では、第１の動作モードでは、マイクロプロセッサ４７は、調光部２０の有効表示領域Ｒの全体を透明状態にするべく、調光制御部５１を介して調光部２０の部分領域Ｒ２〜Ｒ４，Ｒ６をそれぞれ透明状態にする。また、第２の動作モードでは、マイクロプロセッサ４７は、調光部２０の有効表示領域Ｒの全体を光散乱状態にするべく、調光制御部５１を介して調光部２０の部分領域Ｒ２〜Ｒ４，Ｒ６をそれぞれ光散乱状態にする。さらに、第３の動作モードでは、マイクロプロセッサ４７は、調光制御部５１を介して、調光部２０の部分領域Ｒ４を光散乱状態にする一方で、調光部２０の部分領域Ｒ２，Ｒ３，Ｒ６を光透過状態にする。
【０１０３】
本実施の形態では、操作部５４により第４の動作モードが選択された場合には、その選択に応じて、マイクロプロセッサ４７は、ミラー制御部５２を介して第１の可動ミラー１３の位置を図１中の実線位置に位置させ、調光制御部５１を介して調光部２０の有効表示領域Ｒのうちの部分領域Ｒ４，Ｒ６を光散乱状態にする一方で調光部２０の有効表示領域Ｒのうちの部分領域Ｒ２，Ｒ３を透明状態にする。第４の動作モードでは、第２の可動ミラー６４の位置は、図９中の実線位置及び破線位置のいずれでもよい。
【０１０４】
第１の可動ミラー１３が図９中の実線位置に位置するので、撮影レンズ１２を通過した光が第１の可動ミラー１３により反射され、撮影レンズ１２を通過した光による被写体像（光学像）が、調光部２０上に結像される。このとき、被写体像は、調光部２０の有効表示領域Ｒの全体に形成される。
【０１０５】
また、マイクロプロセッサ４７は、表示制御部５０を介して、画像表示部２１の少なくとも有効表示領域Ｒの領域Ｒ２，Ｒ３にそれぞれ黒色表示（その代わりに、任意の情報の表示などでもよい。）を行わせる。
【０１０６】
今、調光部２０の有効表示領域Ｒの部分領域Ｒ４，Ｒ６が光散乱状態である一方で、調光部２０の有効表示領域Ｒの部分領域Ｒ２，Ｒ３が透明状態であるので、観察者は、有効表示領域Ｒに相当する観察領域Ｒ’のうちの部分領域Ｒ４，Ｒ６に相当する部分領域Ｒ４’，Ｒ６において、被写体像の一部（被写体像のうちの部分領域Ｒ４，Ｒ６上に結像した像）を光学像として見るとともに、有効表示領域Ｒに相当する観察領域Ｒ’のうちの上下の部分領域Ｒ２，Ｒ３に相当する部分領域Ｒ２’，Ｒ３’において、黒色表示された電子画像を余白に相当するものとして見ることになる。
【０１０７】
このようにして、第４の動作モード時には、接眼窓２４から、被写体像の一部を切り出したような光学ファインダ表示（図８（ｃ）に示す表示と同様の表示））が観察される。
【０１０８】
本実施の形態によれば、前記第３の実施の形態と同様の利点が得られる他、前記第４の動作モードも選択し得るので、撮影範囲に応じて、被写体像の一部を切り出したような光学ファインダ表示を観察することができるという利点も得られる。
【０１０９】
以上、本発明の各実施の形態について説明したが、本発明はこれらの実施の形態に限定されるものではない。
【符号の説明】
【０１１０】
１，２０１  電子カメラ
１２  撮影レンズ
１３，６４  可動ミラー
１５  撮像素子
１８  リレーレンズ
２０  調光部
２１  画像表示部
２３  接眼レンズ
２４  接眼窓
６２  対物レンズ
【図１】
0005741247.tif 000002
【図２】
0005741247.tif 000003
【図３】
0005741247.tif 000004
【図４】
0005741247.tif 000005
【図５】
0005741247.tif 000006
【図６】
0005741247.tif 000007
【図７】
0005741247.tif 000008
【図８】
0005741247.tif 000009
【図９】
0005741247.tif 000010
【図１０】
0005741247.tif 000011
【図１１】
0005741247.tif 000012
【図１２】
0005741247.tif 000013
【図１３】
0005741247.tif 000014
【図１４】
0005741247.tif 000015
【図１５】
0005741247.tif 000016